(57)【要約】    【課題】製作が容易であり、保温性、フィット性、装着性に優れた立体マスクを提供する。    【解決手段】着用者の鼻腔１０及び上顎洞１１の表面側を含む鼻部６周辺を覆うためのマスク本体１と、マスク本体１の中央部から上方に突出して着用者の目頭部１７間の篩骨洞１８の表面周辺を覆う突出部２と、マスク本体１の左右両側に設けられた耳掛け部３とを備え、マスク本体１は左右の本体シート部８をマスク本体１の略中央の上下方向の接合縁９で接合して形成され、突出部２は各本体シート部８から一体に上方に突出する突出シート部１８を接合縁９に連続する接合縁１９で接合して構成されている。【選択図】      図２
2008295503.tif 000002
【特許請求の範囲】
【請求項１】
着用者の鼻腔（１０）及び上顎洞（１１）の表面側を含む鼻部（６）周辺を覆うためのマスク本体（１）と、該マスク本体（１）の中央部から上方に突出して着用者の目頭部（１７）間の篩骨洞（１８）の表面周辺を覆う突出部（２）と、前記マスク本体（１）の左右両側に設けられた耳掛け部（３）とを備えたマスクにおいて、前記マスク本体（１）は左右の本体シート部（８）を該マスク本体（１）の略中央の上下方向の接合縁（９）で接合して形成され、前記突出部（２）は前記各本体シート部（８）から一体に上方に突出する突出シート部（１８）を前記接合縁（９）に連続する接合縁（１９）で接合して構成されていることを特徴とする立体マスク。
【請求項２】
前記マスク本体（１）及び前記突出部（２）は、装着時に着用者の顎部（４）から鼻頂部（２０）を経て目頭部（１７）近傍までを略円弧状に覆うように前記各接合縁（９，１９）が側面視略円弧状であることを特徴とする請求項１に記載の立体マスク。
【請求項３】
前記マスク本体（１）及び前記突出部（２）は、装着時に着用者の顎部（４）から鼻頂部（２０）までを略円弧状に覆い、鼻頂部（２０）から目頭部（１７）近傍までを略直線状に覆うように、前記接合縁（９，１９）の下部が側面視略円弧状であり、前記接合縁（９，１９）の上部が側面視略直線状であることを特徴とする請求項１に記載の立体マスク。
【請求項４】
前記マスク本体（１）は着用者の鼻孔（６ａ）を下側から覆うための鼻孔覆い部（１Ａ）を有することを特徴とする請求項１〜３の何れかに記載の立体マスク。
【請求項５】
前記鼻孔覆い部（１Ａ）の下端は着用者の鼻部（６）と口部（５）との中間にあり、前記接合縁（９）の下側には非接合部（９ａ）があることを特徴とする請求項４に記載の立体マスク。
【請求項６】
前記突出部（２）は、着用者の眉間部（３６）の周辺部分を覆う長さを有することを特徴とする請求項１〜５の何れかに記載の立体マスク。
【請求項７】
前記耳掛け部（３）は上辺部（１３）と下辺部（１４）とを有し、前記上辺部（１３）の張力が下辺部（１４）の張力よりも大であることを特徴とする請求項１〜６の何れかに記載の立体マスク。
【請求項８】
前記マスク本体（１）及び／又は前記突出部（２）に遠赤外線発生機能を付加したことを特徴とする請求項１〜７の何れかに記載の立体マスク。
【請求項９】
前記マスク本体（１）及び／又は前記突出部（２）の内側に保温シート（２７）又は加温シート（２９）を備えたことを特徴とする請求項１〜８の何れかに記載の立体マスク。
【請求項１０】
前記外側マスク（２６）と内側マスク（２７）とを着脱自在に備えたことを特徴とする請求項１〜９に記載の立体マスク。
【請求項１１】
前記加温シートとして蓄熱シート（２９）を備えたことを特徴とする請求項１〜１０に記載の立体マスク。
【発明の詳細な説明】
【技術分野】
【０００１】
本発明は、製作が容易で保温性、フィット性、装着性に優れた立体マスクに関するものである。
【背景技術】
【０００２】
アレルギー性鼻炎、花粉症等の症状は、くしゃみ、鼻水、鼻詰まり等として現れる。これらの諸症状は、空気中に飛散する杉花粉、ダスト、ダニ、排ガス等のアレルゲンが鼻腔内粘膜に付着することによって発現することが知られている。
【０００３】
これらの諸症状を簡便に予防、緩和又は除去する対策の一つとして、着用者の鼻腔及び上顎洞の表面を含む鼻部周辺を覆うシート状のマスク本体と、マスク本体の中央部から上方に突出し且つ着用者の目頭部間の篩骨洞の表面周辺を覆う突出部と、マスク本体の左右両側に設けられた耳掛け部とを備えた保温マスクが提案されている（特許文献１）。
【特許文献１】特開平７−３２８１３５号公報
【発明の開示】
【発明が解決しようとする課題】
【０００４】
この保温マスクは、マスク本体で花粉等の微粒子の鼻腔への侵入を阻止する一方、マスク本体及び突出部で上顎洞、篩骨洞の表面周辺を含む鼻部周辺を保温することにより、アレルギー性鼻炎等の諸症状の発現を予防、緩和又は除去する。
【０００５】
しかし、従来の保温マスクは、マスク本体の内側に、このマスク本体とは別体の突出部を設ける構造（同公報の図２参照）、突出部をマスク本体と一体に形成して、その突出部の周辺部分からマスク本体の上縁部分に掛けて保形性を有する金属線材を設ける構造（同公報の図４、図６、図８参照）、突出部をマスク本体と一体に形成して、その突出部とマスク本体とに跨がって縦方向にひだ部を設ける構造（同公報の図７参照）、突出部をマスク本体と一体に形成して、その突出部及びマスク本体を、鼻部を覆う立体形状に熱圧成型する構造（同公報の図９参照）等が採用されている。
【０００６】
このため別体構造の突出部を設ける場合は勿論のこと、突出部の周辺部分等に金属線材を設ける場合、ひだ部を形成する場合、更には突出部を鼻部の形状に熱圧成型する場合の何れにおいても構造的に複雑なものとなり、加工工数が増えて製作が煩わしくなるにも拘わらず、保温マスクを装着した際に顔面と保温マスクの周縁部との間に隙間ができる等、保温マスクが顔面にフィットし難くフィット性に欠け、また保温効果が低下し易い欠点がある。
【０００７】
本発明は、従来のこのような課題に鑑み、製作が容易であり、保温性、フィット性、装着性に優れた立体マスクを提供することを目的とする。
【課題を解決するための手段】
【０００８】
本発明は、着用者の鼻腔１０及び上顎洞１１の表面側を含む鼻部６周辺を覆うためのマスク本体１と、該マスク本体１の中央部から上方に突出して着用者の目頭部１７間の篩骨洞１８の表面周辺を覆う突出部２と、前記マスク本体１の左右両側に設けられた耳掛け部３とを備えたマスクにおいて、前記マスク本体１は左右の本体シート部８を該マスク本体１の略中央の上下方向の接合縁９で接合して形成され、前記突出部２は前記各本体シート部８から一体に上方に突出する突出シート部１８を前記接合縁９に連続する接合縁１９で接合して構成されている。
【０００９】
前記マスク本体１及び前記突出部２は、装着時に着用者の顎部４から鼻頂部２０を経て目頭部１７近傍までを略円弧状に覆うように前記各接合縁９，１９が側面視略円弧状であってもよい。前記マスク本体１及び前記突出部２は、装着時に着用者の顎部４から鼻頂部２０までを略円弧状に覆い、鼻頂部２０から目頭部１７近傍までを略直線状に覆うように、前記接合縁９，１９の下部が側面視略円弧状であり、前記接合縁９，１９の上部が側面視略直線状であってもよい。
【００１０】
前記マスク本体１は着用者の鼻孔６ａを下側から覆うための鼻孔覆い部１Ａを有するものでもよい。前記突出部２は、着用者の眉間部３６の周辺部分を覆う長さを有するものでもよい。前記耳掛け部３は上辺部１３と下辺部１４とを有し、前記上辺部１３の張力が下辺部１４の張力よりも大としてよい。
【００１１】
前記マスク本体１及び／又は前記突出部２に遠赤外線発生機能を付加してもよい。前記マスク本体１及び／又は前記突出部２の内側に保温シート２７又は加温シート２９を備えてもよい。前記外側マスク２６と内側マスク２７とを着脱自在に備えてもよい。前記加温シートとして蓄熱シート２９を備えてもよい。
【発明の効果】
【００１２】
本発明では、マスク本体１が左右の本体シート部８を該マスク本体１の略中央の上下方向の接合縁９で接合して形成され、また突出部２が各本体シート部８から一体に上方に突出する突出シート部１８を前記接合縁９に連続する接合縁１９で接合して構成されているため、従来の保温マスクに比較して製作が容易であり、保温性、フィット性、装着性に優れたものとなる利点がある。
【発明を実施するための最良の形態】
【００１３】
以下、本発明の各実施例を図面に基づいて詳述する。図１〜図５は本発明に係る鼻部保温用の立体マスクの第１実施例を例示する。この立体マスクは図１〜図３に示すように、マスク本体１と、マスク本体１から上方に突出する突出部２と、マスク本体１の左右両側の耳掛け部３とを備えている。
【００１４】
マスク本体１は着用者が顔面に装着したときに、図２、図３に示すように顎部４、口部５、鼻部６及びその左右両側の頬部７を覆う大きさであって、左右略対称な左右一対の本体シート部８を有し、その両本体シート部８を重ねて上下方向の略円弧状の接合縁９で熱溶着等により一体に接合されている。
【００１５】
なお、マスク本体１は、少なくとも鼻腔１０及び上顎洞１１の表面を含む鼻部６周辺を覆い得るものであればよい。また各本体シート部８にはアレルギー性鼻炎症、花粉症等の原因物質である花粉等の通過を阻止し、且つ適度な通気性と保温性とを有するシート部材、例えば熱可塑性を有する合成樹脂繊維製の不織布シートが使用されている。
【００１６】
耳掛け部３は耳通し孔１２の上下に上辺部１３と下辺部１４とを有し、基部が各本体シート部８の接合縁９と反対側の上下方向の接合部３ａで熱溶着等により接合されている。上辺部１３、下辺部１４は、マスク本体１を顔面に当てて耳掛け部３を耳部１５に掛けたときに、上辺部１３の張力が下辺部１４の張力よりも大になるように構成されている。耳掛け部３には、熱可塑性を有する合成樹脂繊維製の不織布シートが使用されている。
【００１７】
なお、耳掛け部３は上辺部１３の張力が下辺部１４よりも大であれば、その構造等は問題ではないが、次のようなものがある。例えば、上辺部１３の幅を下辺部１４よりも大にしてもよいし、上辺部１３の長さを下辺部１４よりも短くしてもよい。また上辺部１３を二重構造にしてもよいし、別の不織布シートを上辺部１３の内側に前後方向に熱溶着等で設けてもよい。耳掛け部３はスリットを形成し、装着する際にそのスリットを広げて耳通し孔１２を形成するようにしてもよい。また耳掛け部３はマスク本体１の左右両側に一体に形成してもよい。
【００１８】
突出部２はマスク本体１の左右方向の中央部分から所定幅で上方に突出して、着用者の鼻部６の鼻梁部１６及びその左右両側から目頭部１７間の篩骨洞３７の表面周辺までを覆い、着用者の鼻部６及びその周辺を保温するようになっている。この突出部２はマスク本体１の中央側で本体シート部８から一体に突出する突出シート部１８を有し、その一対の突出シート部１８がマスク本体１側の接合縁９の延長上の接合縁１９で熱溶着等により接合されている。
【００１９】
マスク本体１及び突出部２は、装着時に着用者の顔面の顎部４から口部５の前方、鼻頂部２０を経て目頭部１７間近傍までを略円弧状に覆うように、その両接合縁９，１９が上下方向に側面視略円弧状に形成されており、顔面に装着したときに接合縁９，１９が左右の略中央で前方に円弧状に張り出す立体形状を呈し、接合縁９，１９及びその左右両側において、目頭部１７間と顎部４とを除く上下方向の中間部分で顔面との間に所定の隙間２１ができるようになっている。
【００２０】
なお、左右の本体シート部８、突出シート部１８は、立体性のない平面形状の不織布シートを一体に裁断して構成されている。またマスク本体１の上縁と突出部２の側縁１８ａは、図３に示す形状の他、図４（Ａ）〜（Ｃ）に示すように、突出部２の基部側が凹入するくの字状又は円弧状、斜め方向の直線状の何れでもよい。
【００２１】
マスク本体１及び突出部２を構成する不織布シートは、遠赤外線発生材料のナノ粉体、微粉体等が混練された合成樹脂繊維製の不織布を使用する等して、マスク本体１及び突出部２から遠赤外線を発生させて顔面に対する加温効果を持たせるようにしてもよい。また不織布シートに、トルマリンのナノ粉体、微粉体等を混練した合成樹脂繊維を使用して、マイナスイオンが発生するようにしてもよい。
【００２２】
この立体マスクの使用に際しては、図２、図３に示すようにマスク本体１及び突出部２を左右に広げた状態で顔面に当て、その左右の耳掛け部３を耳部１５に掛けると、マスク本体１で鼻腔１０及び上顎洞１１の表面を含む顎部４から口部５、鼻部６及びその左右両側の頬部７の全体を覆うことができ、また突出部２で鼻部６の鼻梁部１６及びその左右両側から目頭部１７間の篩骨洞３７の表面周辺までを覆うことができる。
【００２３】
このためアレルギー性鼻炎や花粉症等の原因物質を遮断できるだけでなく、顔面の鼻腔１０、上顎洞１１及び篩骨洞３７の周辺を一定に保温でき、アレルギー性鼻炎、花粉症等の諸症状を緩和又は除去できる。特に顔面の鼻腔１０、上顎洞１１の周辺だけでなく、重要保温部位である篩骨洞３７の周辺を一定に保温できるため、アレルギー性鼻炎、花粉症等の諸症状に対する緩和又は除去効果が大である。
【００２４】
しかもこの立体マスクは、左右の本体シート部８を上下方向の接合縁９で接合してマスク本体１を形成する一方、各本体シート部８から一体に上方に突出する突出シート部１８をマスク本体１の接合縁９に連続する接合縁１９で接合して立体形状に構成しているため、二枚重ねの不織布シートを接合縁９，１９で接合して所定形状に切り取る等によって製造でき、構造的に簡単で加工工数が特別に増加することもなく容易に製造することができる。
【００２５】
またマスク本体１、突出部２は左右に広げたときに、図３の二点鎖線で示す装着前の状態から上部側及び下部側が顔面側へと湾曲して実線で示す状態となる。そして、この状態で顔面に当てて左右の耳掛け部３を耳部１５に掛けると、マスク本体１の上下両側が耳掛け部３によって左右両側へと引っ張られて顔面に沿って引き絞られ、また同時に突出部２が顔面側に押し付けられる。
【００２６】
このためマスク本体１の中央部に上方へと突出する突出部２があるにも拘わらず、装着時にマスク本体１及び突出部２の周縁部との間に隙間ができ難くなり、保温性、フィット性が向上する。
【００２７】
しかも、耳掛け部３は上辺部１３の張力が下辺部１４の張力よりも大であるため、突出部２を含むマスク本体１の上部側を顔面に確実にフィットさせることができ、装着状態での顔面の筋肉の動き等による下側へのずれ等を無くすることができる。
【００２８】
因みに所定の供試マスクを使用して耳掛け部３の張力を測定したところ、図５に示すような結果が得られた。測定方法は男女三人の着用者が供試マスクを装着して、耳掛け部３の上辺部１３、下辺部１４にばねバカリを掛けて、顔面から離れる方向に３ｃｍ引っ張ったときの値を測定した。図５の各数値は上辺部１３、下辺部１４の夫々について３回ずつ測定し、その平均値を示す。なお、左右の数値が異なるのは、着用者が右利きか左利きかによるものであり、利き腕の方の値が大きくなる傾向にある。また着用者が男性の場合に数値が大きいのは、顔が大きいことによるものである。単位はｇである。
【００２９】
このように装着状態において上辺部１３の張力が下辺部１４よりも大きくなるように耳掛け部３を構成することによって、マスク本体１及び突出部２の顔面に対する押し付け力が大になり、フィット性がより向上することが確認できた。
【００３０】
更にマスク本体１及び突出部２の接合縁９，１９は、着用者の顎部４から鼻頂部２０を経て目頭部１７間の近傍までを略円弧状に覆うように接合縁９，１９が側面視略円弧状であるため、接合縁９，１９側及びその左右両側では顔面との間に所定の断熱空間を確保でき、これによって保温性が向上する。
【００３１】
図６、図７は本発明の第２の実施例を例示する。この立体マスクでは、マスク本体１及び突出部２の接合縁９，１９は、着用者の顔面の顎部４から口部５の前を経て鼻頂部２０に至る範囲が側面視略円弧状に形成され、その鼻頂部２０から目頭部１７間の近傍までが略直線状になっている。他の構成は第１の実施例と同様である。
【００３２】
このように鼻頂部２０から目頭部１７間の近傍までは略直線状にしてもよい。このようにすれば、マスク本体１を左右に広げて顔面に装着した場合に、図７に示すように二点鎖線の装着前の状態から実線の装着状態へと、マスク本体１の上部の鼻頂部２０に対応する部分から上側の突出部２を含む部分が顔面側へと湾曲して引き絞られ、その突出部２が着用者の鼻梁部１６に沿う状態となる。このため突出部２の接合縁１９等が前方に突出すると突出量が小さくなり、着用者の視野の障害になる等の視覚的な違和感を極力解消できる。
【００３３】
図８、図９は本発明の第３の実施例を例示する。この立体マスクでは、突出部２は着用者の目頭部１７間を経て額の眉間部３６の近傍周辺まで延びており、鼻部６の全体から眉間部３６の周辺まで覆うようになっている。なお、他の構成は第２の実施例と同様であるが、第１の実施例と同様に目頭部１７間から下側の接合縁９，１９は、第１の実施例と同様にしてもよい。
【００３４】
この場合には、突出部２により目頭部１７間の篩骨洞３７をその上端側まで確実に保温することができる。なお、突出部２の上端部には、着用者の目頭部１７から額に沿って上側が前側へと湾曲する湾曲部２２が設けられている。
【００３５】
図１０〜図１３は本発明の第４の実施例を例示する。この立体マスクでは、マスク本体１は図１０〜図１２に示すように、着用者の鼻部６と口部５との中間から上側を覆うようになっており、そのマスク本体１の下部側に鼻孔６ａを下側から覆う鼻孔覆い部１Ａが形成されている。また鼻孔覆い部１Ａの下端が着用者の鼻部６と口部５との間までの長さであるため、接合縁９の下側には、図１２に示すように、左右の本体シート部８を接合していない非接合部９ａが設けられている。なお、他の構成は第１〜３の実施例の何れかと同様である。
【００３６】
この場合には、装着したときにマスク本体１の下部の鼻孔覆い部１Ａが鼻孔６ａの下側へと湾曲し引き絞られて、鼻孔６ａを下側から覆う。このため鼻孔６ａ内への花粉等の侵入を防止できる上に、口部５の前側が開放されて、会話等に際してのマスク着用の違和感等も解消できる。勿論、同時に着用者の鼻腔１０、上顎洞１１、篩骨洞３７等を保温できる。また下端部に本体シート部８を接合していない非接合部９ａがあるため、接合縁９の端縁で顔面を傷つけるような惧れもない。
【００３７】
なお、マスク本体１の下端部の鼻部６と口部５との間に対応する鼻孔覆い部１Ａの下側部分には、図１３に示すように前側に屈曲する湾曲部２３を左右方向に設けて、顔面に装着したときに、この湾曲部２３が鼻部６と口部５との間に接触するようにしてもよい。
【００３８】
図１４は本発明の第５の実施例を例示する。この立体マスクでは、図１４に示すようにマスク本体１の前面側上部等の適当箇所に左右一対の保形体２４が略対称に設けられている。図１４（Ａ）では突出部２の上端部と耳掛け部３の接合部３ａの上端部との間に、その端縁に沿って保形体２４が設けられている。また図１４（Ｂ）ではマスク本体１の上端部と突出部２との間の中間部分に保形体２４が設けられている。保形体２４は分子配列が一軸方向に配列さたポリオレフィン系合成樹脂製等のテープ状のもの、１本又は複数本の金属線材を設けたもの等が適当である。なお、保形体２４はマスク本体１の内面側に設けてもよい。また保形体２４は不織布等でカバーしてもよい。
【００３９】
このようにすれば、装着後に保形体２４の部分を前側から顔面側に押圧する等して、保形体２４を鼻梁部１６の両側部分の凹凸形状に沿って屈曲させることによって、マスク本体１の上部側のフィット性を更に向上をさせることができる。
【００４０】
図１５は本発明の第６の実施例を例示する。この実施例では、マスク本体１及び突出部２の内面に遠赤外線発生材料等による加温部２５が形成されている。図１５（Ａ）では内面の略全面にわたって面状に加温部２５が形成され、図１５（Ｂ）では内面の略全面にわたって多数の筋状に加温部２５が夫々形成されている。図１５（Ｃ）では鼻梁部１６の左右両側と上顎洞１１とに対応するように特定の一部分に加温部２５が形成されている。なお、加温部２５は、遠赤外線発生材料等のナノ粉体、微粉体等を適宜バインダーと混練して塗工したものである。
【００４１】
不織布シートの合成樹脂繊維に遠赤外線発生材料を混練する他、このように遠赤外線発生材料等のナノ粉体、微粉体等を塗工して加温部２５を形成しても、その加温部２５により顔面を加温できる。そして、顔面を加温することによって、アレルギー性鼻炎や花粉症等の諸症状を効果的に緩和又は除去することができる。
【００４２】
不織布シートが熱可塑性樹脂繊維の場合には、遠赤外線発生材料等のナノ粉体、微粉体を不織布シート上に散布した後、所定温度の熱を加えて熱融着させてもよい。この場合には、熱融着により不織布シートの目が細かくなってフィルター効果が向上する等の利点もある。なお、トルマリン等のナノ粉体、微粉体を熱融着させてもよい。
【００４３】
図１６、図１７は本発明の第７の実施例を例示する。この実施例では、マスク本体１、突出部２、耳掛け部３を有する外側マスク２６の内側に、同様のマスク本体１ａ及び突出部２ａを有する内側マスク２７が設けられている。
【００４４】
外側マスク２６、内側マスク２７は共に立体形状をしている。内側マスク２７は保温シートを構成するもので、外側マスク２６との間に所定の隙間ができるように外側マスク２６の内側に粘着剤２８を介して着脱自在に装着されている。粘着剤２８は内側マスク２７のマスク本体１ａの両端部、その他の所要箇所に設けられている。
【００４５】
このように外側マスク２６と内側マスク２７との二重構造にすれば、花粉等の阻止効果が向上し、また保温性が向上するため、花粉症等の諸症状をより効果的に緩和又は除去することができる。また外側マスク２６に内側マスク２７を着脱自在に装着しているため、呼気等で汚れ易い内側マスク２７を交換して使用することもできる。
【００４６】
なお、外側マスク２６、内側マスク２７は同質又は異質の不織布シートで構成してもよいし、一方をガーゼ等の織布、その他のもので構成してもよい。保温シートを設ける場合には、耳掛け部３を有する側のマスク本体１、突出部２等の必要箇所に部分的に設けてもよい。またその保温シートは着脱自在であることが望ましい。
【００４７】
図１８〜図２０は本発明の第８の実施例を例示する。この実施例では、図１８、図１９に示すように、マスク本体１及び／又は突出部２等の内側の一部に加温用の蓄熱シート２９が略左右対称に着脱自在に設けられている。蓄熱シート２９は図２０に示すように密封袋３０にＣＭＣ、ＰＶＡ、アクリル酸ポリマー等のゲル状の蓄熱剤３１を封入してシート状に構成したもので、例えば鼻梁部１６の左右両側に粘着剤３２等を介して着脱自在に設けられている。
【００４８】
この場合には蓄熱剤３１に温熱を蓄熱した状態で顔面に装着すると、その温熱により顔面の必要箇所を加温でき、加温効果が著しく向上する。なお、顔面と接触する箇所に蓄熱シート２９を設ければ、顔面からの体温が蓄熱シート２９に伝わるため、蓄熱シート２９の蓄熱時間を長く維持できる。立体マスクを廃棄する場合に、蓄熱シート２９を剥離して再利用すればよい。
【００４９】
なお、蓄熱シート２９は剥離不能に設けてもよい。また蓄熱シート２９は上顎洞１１に対応して設けてもよい。
【００５０】
図２１〜図２３は本発明の第９の実施例を例示する。この実施例では、図２１、図２２に示すように、マスク本体１及び／又は突出部２等の内側の一部に、例えば篩骨洞３７を含む鼻梁部１６の左右両側等に対応して加温用のシート状のカイロ３３が装着され、ガスバリヤー性を有する密閉袋３４に封入されている。
【００５１】
カイロ３３は加温シートを構成するもので、鉄粉その他からなる発熱粉体３５を通気袋３８に充填してなり、ホットメルト剤等を介して内側に装着されている。なお、このカイロ３３は図２３に示すように、マスク本体１等の不織布シート１ｂと、その内側に装着された保持シート１ｃとの間にポケットを形成して、そのポケットに発熱粉体３５を充填したものでもよい。なお、保持シート１ｃは通気性を有するものでもよいし、通気性の無いものでもよい。
【００５２】
使用に際しては、密閉袋３４を破断部３４ａから破断する等によって開封し立体マスクを取り出して、その立体マスクを顔面に装着する。するとカイロ３３の発熱粉体３５が空気中の酸素と反応して発熱し、例えば篩骨洞３７を含む鼻梁部１６の左右両側等の対応箇所を加温することができる。なお、カイロ３３は他の箇所、例えば上顎洞１１に対応して設けてもよいし、篩骨洞３７を含む鼻梁部１６の左右両側及び上顎洞１１に対応して設けてもよい。
【００５３】
以上、本発明の各実施例について詳述したが、各実施例に限定されるものではなく、本発明の趣旨を逸脱しない範囲で種々の変更が可能である。例えば、マスク本体１、突出部２は合成樹脂繊維以外の不織布シートでもよいし、不織布シート以外の通気性を有する織布、紙等のシート材を使用して構成してもよい。
【００５４】
またマスク本体１、突出部２の接合縁９，１９は、熱溶着以外の接合手段、例えば接着等で接合したものでもよい。外側マスク２６と内側マスク２７とを設ける場合、内側マスク２７に耳掛け部３を設けて、この内側マスク２７の外側に外側マスク２６を着脱自在に装着するようにしてもよい。マスク本体１の接合縁９の下端側、突出部２の接合縁１９の上端側の端部には、左右の不織布シートを接合していない非接合部を設けることが望ましい。
【００５５】
耳掛け部３の上辺部１３、下辺部１４の張力は略同じでもよい。保温シート、加温シートは実施例に例示する以外のものでもよい。立体マスクは、アレルギー性鼻炎や花粉症等の諸症状を緩和又は除去対策以外の用途、例えば防塵用に使用することも可能である。
【図面の簡単な説明】
【００５６】
【図１】本発明の第１の実施例を示す立体マスクの斜視図である。
【図２】同装着状態の正面図である。
【図３】同装着状態の側面図である。
【図４】同突出部の変形例を示す側面図である。
【図５】同張力の測定結果を示す図である。
【図６】本発明の第２の実施例を示す立体マスクの斜視図である。
【図７】同装着状態の側面図である。
【図８】本発明の第３の実施例を示す立体マスクの斜視図である。
【図９】同装着状態の側面図である。
【図１０】本発明の第４の実施例を示す立体マスクの斜視図である。
【図１１】同装着状態の一部破断側面図である。
【図１２】同装着状態の正面図である。
【図１３】同変形例を示す側面図である。
【図１４】本発明の第５の実施例を示す立体マスクの斜視図である。
【図１５】本発明の第６の実施例を示す概略背面図である。
【図１６】本発明の第７の実施例を示す立体マスクの一部破断側面図である。
【図１７】同横断平面図である。
【図１８】本発明の第８の実施例を示す立体マスクの一部破断側面図である。
【図１９】同横断平面図である。
【図２０】同要部の拡大断面図である。
【図２１】本発明の第９の実施例を示す包装状態の正面図である。
【図２２】同断面図である。
【図２３】同変形例を示す断面図である。
【符号の説明】
【００５７】
１  マスク本体
１Ａ  鼻孔覆い部
２  突出部
３  耳掛け部
４  顎部
６  鼻部
６ａ  鼻孔
８  本体シート部
９，１９  接合縁
１０  鼻腔
１１  上顎洞
１３  上辺部
１４  下辺部
１７  目頭部
１８  篩骨洞
１８  突出シート部
２０  鼻頂部
２７  内側マスク（保温シート）
２９  蓄熱シート（加温シート）
３６  眉間部
【図１】
2008295503.tif 000003
【図２】
2008295503.tif 000004
【図３】
2008295503.tif 000005
【図４】
2008295503.tif 000006
【図５】
2008295503.tif 000007
【図６】
2008295503.tif 000008
【図７】
2008295503.tif 000009
【図８】
2008295503.tif 000010
【図９】
2008295503.tif 000011
【図１０】
2008295503.tif 000012
【図１１】
2008295503.tif 000013
【図１２】
2008295503.tif 000014
【図１３】
2008295503.tif 000015
【図１４】
2008295503.tif 000016
【図１５】
2008295503.tif 000017
【図１６】
2008295503.tif 000018
【図１７】
2008295503.tif 000019
【図１８】
2008295503.tif 000020
【図１９】
2008295503.tif 000021
【図２０】
2008295503.tif 000022
【図２１】
2008295503.tif 000023
【図２２】
2008295503.tif 000024
【図２３】
2008295503.tif 000025